(57)【要約】      （修正有）【課題】ケープとワンピースを組合せることにより、多通りに着用できる男女兼用ツーアンドワンコート衣服を提供する。【解決手段】表布及び裏布が異色もしくは異柄により縫製され、かつ、リバーシブル着用が可能なケープ１と、表布及び裏布が異色もしくは異柄により縫製され、かつリバーシブル着用が可能なワンピース２とよりなり、かつこれらケープ１及びワンピース２を組合せて着用する。【選択図】図１
0003161979.tif 000002
【実用新案登録請求の範囲】
【請求項１】
表布１ａ及び裏布１ｂが異色もしくは異柄により縫製され、かつ、リバーシブル着用が可能なケープ２と、表布２ａ及び裏布２ｂが異色もしくは異柄により縫製され、かつリバールブル着用が可能なワンピース２とよりなり、かつ、これらケープ１及びワンピース２を組合せて着用することを特徴とする男女兼用ツーアンドワンコート衣服
【請求項２】
ワンピース２左右身頃６、７と後身頃８の肩の部をリバーシブルで表裏を反転にした時表布、裏布の両面につながれたボタンを設けてとする請求項１記載の男女兼用ツーアンドワンコート衣服
【考案の詳細な説明】
【技術分野】
【０００１】  この考案はケープとワンピースを組合せることにより、多通りに着用可能な男女兼用ツーアンドワンコート衣服に関するものである。
【背景技術】
【０００２】  従来、衣服の多くは、男性用と女性用が別となっており、また複数の衣服を組合わて着用する場合も、組合せできる数が少ないため変化に乏しい。
【考案の概要】
【考案が解決しようとする課題】
【０００３】  従来の衣服では、男女別であったり、複数の衣服を組合せる場合、組合せできる数が少ないため、より多くの衣服を目的別に購入しなければならず、衣服費が嵩むなどの不具合があり、時代の要求エコロジーでもある。【０００４】  この考案は、かかる不具合を改善するためになされたもので、ケープとワンピースを組合せることにより、多通りの着用が可能な男女兼用ツーアンドワンコート衣服を提供して、より少ない衣服費でお洒落がたのしめるようにすることを目的とするものである。
【課題を解決するための手段】
【０００５】  上記目的を達成するため請求項１記載の考案は、表布及び裏布が異色もしくは異柄により縫製され、かつ、リバーシブル着用が可能なケープと、表布及び裏布が異色もしくは異柄により縫製され、かつ、リバールブル着用が可能なワンピースとよりなり、かつ、これらケープ及びワンピースを組合せて着用することを特徴とするものである。【０００６】  上記構成により、ケープ及びワンピースを組合せて着用することにより、例えば８通りに着用でき、かつ男女兼用することができるため、従来のように男女別に衣服を購入したり、多くの衣服を購入する必要がないため、衣服の大幅な削減が図れるようになる。【０００７】  また、ケープ及びワンピースととも、リバーシブル着用が可能なことから、好みに応じて色や柄を組合せることができ、さらに手持ちの衣服を組合せることのより、多通りのお洒落を楽しむことができる。【０００８】  上記目的を達成するため請求項２記載の考案は継ぎボタンとして表、裏に一体として設けたものである。【０００９】  上記構成により、身体の不自由な障害者や、老人などでも容易に着たり脱いだりすることができ優しく便利な衣服である。
【考案の効果】
【００１０】  この考案は、以上詳述したように、表布及び裏布が異色もしくは異柄により縫製され、かつ、リバーシブル着用が可能なケープと、表布及び裏布が異色もしくは異柄により縫製され、かつ、リバールブル着用が可能なワンピースとよりなり、かつ、これらケープ及びワンピースを組合せて着用できるようにしたことから、その日の気分や好みに応じて多通りの組合せでお洒落ができると共に、多数の衣服を購入する必要がないため、衣服の大幅な削減が図れる。【００１１】  また、ケープ及びワンピースに使用する素材や色柄を選定することにより、男性女性兼用することができるため、男女別に衣服を購入する場合に比べて大変経済的であると共に左右身頃と後身頃の肩の部分裏返すことから身体の不自由な障害者や、老人などでも容易に着たり脱いだりすることができるようになる。
【図面の簡単な説明】
【００１２】
【図１】この考案の一実施例になる男女兼用ツーアンドワンコート衣服の着用時の斜視図である。
【図２】男女兼用ツーアンドワンコート衣服を構成するケープの正面図である。
【図３】同ケープの斜視図である。
【図４】同ケープを表裏反転した状態のの斜視図である。
【図５】男女兼用ツーアンドワンコート衣服を構成するワンピースの正面図である。
【図６】同ワンピースの背面図である。
【図７】同ワンピースの一部切欠正面図である。
【図８】同ワンピースの一部切欠背面図である。
【図９】同ワンピースの一部切欠斜視図である。
【図１０】ケープの変形例を示す説明図である。
【考案を実施するための形態】
【００１３】  この考案の実施の形態を図面を参照して詳述する。
図１において１はケープ、２はワンピースを示す。
上記ケープ１は、両面着用（リバーシブル）が可能なように、表布１ａと裏布１ｂが異色や異柄の織布や綿布などの生地で縫製されていて、肩に羽織って着用できるように前開きとなっており、首回りと前身頃３には、紐通し孔４が複数開口されていて、これら紐通し孔４に首回りを１周するよう飾り紐５が挿通されていると共に、飾り紐５の両端は、前身頃３の上部に開口された紐通し孔４よ前身頃３に沿って垂れ下がっており、両端部には、紐通し孔４より飾り紐５が抜け出さないよう結び目５ａが形成されている。
【００１４】  上記ワンピース２も、ケープ１と同様にリバーシブル着用が可能となるように、表布２ａと裏布２ｂが異色や異柄の織布や綿布などの生地で縫製されたもので、左右前身頃６，７と、これら前身頃６，７の後縁間に縫着された後身頃８よりなり、左右前身頃６，７の合せ目には、ボタン９及びボタン孔１０が互に対をなすよう複数個所に付けられていて、表裏反転してリバーシブル着用した場合でも、これらボタン９とボタン孔１０が係合できるようになっている。
【００１５】  またワンピース２の首回りには、複数のボタン１２が縫い付けられていて、これらのボタン１２に衿１３が着脱自在に取付けられていると共に、左右前身頃６，７の肩部と、後身頃８の肩部に、互に着脱自在な形成に縫着されている。
【００１６】  一方、左右前身頃６，７には、リバーシブル着用した場合でも使用できるように、それぞれの面にポケット１５が形成されていると共に、後身頃８には、左右に離間してボタン１６が取付けられていて、これらボタン１６に装飾用のベルト１７が着脱自在に取付けられている。
【００１７】  なお、ケープ１には図１０に示すように前身頃３の合せ部にボタン１８及びボタン孔１９を設けて、これらボタン１８及びボタン孔１９を係合することにより、ケープ１の前が開かないようにしてもよい。
【実施例】
【００１８】  上記構成された男女兼用ツーアンドワンコート衣服の作用を説明する。
ケープ１及びワンピース２は、これらを組合せて着用してもよく、また、ケープ１とワンピース２を別にして、手持ちの衣服と組合せて着用してえもよい。【００１９】  図１は、ケープ１とワンピース２を組合せて着用した例を示すもので、ケープ１またはワンピース２の一方をリバーシブル着用し、また、両方をリバーシブル着用することにより、４通りの組合せができるようになる。【００２０】  また、ケープ１のみを別の衣服と組合せて着用したり、ケープ１をリバーシブルして手持ちの衣服と組合せることにより、２通りの組合せが、さらに、ワンピース２のみを手持ちの衣服と組合せて着用したり、２をリバーシブルして手持ちの衣服と組合せることにより、２通りの組合せができることから、全部で８通りの組合せ着用が可能になると共に、ケープ１及びワンピース２の色や柄、素材を選択することにより、男女兼用で着用することもできる。【００２１】
【産業上の利用可能性】
【００２２】  ワンピース２の左右身頃６、７及び後身頃８の肩の部分を反転したことから、身体障害者や老人などが着用するときには、簡単にボタンを掛けることにより、容易に着用することができる。【００２３】  なお、以上説明した男女兼用ツーアンドワンコート衣服は、素材や色、柄などを選定することにより、礼司用、防寒用、カジュアルコート、レインコート、ハンターコート、女性は背バンド外せばマタニティドレス（妊婦）などの幅広い用途に使用できるもので、フリーサイズとして製作することにより、体格の異なる人にも着用可能である。
【符号の説明】
【００２４】１  ケープ
１ａ  表布
１ｂ  裏布
２  ロングベスト
２ａ  表布
２ｂ  裏布
３  前身頃
４  紐通し孔
５  飾り紐
５ａ  結び目
６、７  前身頃
７  前身頃
８  後身頃
９  ボタン
１０  ボタン孔
１２  ボタン
１３  衿
１５  ポケット
１６  ボタン
１７  ベルト
１８  ボタン
１９  ボタン孔
【図１】
0003161979.tif 000003
【図２】
0003161979.tif 000004
【図３】
0003161979.tif 000005
【図４】
0003161979.tif 000006
【図５】
0003161979.tif 000007
【図６】
0003161979.tif 000008
【図７】
0003161979.tif 000009
【図８】
0003161979.tif 000010
【図９】
0003161979.tif 000011
【図１０】
0003161979.tif 000012
【手続補正書】
【提出日】平成22年5月28日(2010.5.28)
【手続補正１】
【補正対象書類名】実用新案登録請求の範囲
【補正対象項目名】全文
【補正方法】変更
【補正の内容】
【実用新案登録請求の範囲】
【請求項１】
表布１ａ及び裏布１ｂが異色もしくは異柄により縫製され、かつ、リバーシブル着用が可能なケープ２と、表布２ａ及び裏布２ｂが異色もしくは異柄により縫製され、かつリバーシブル着用が可能なワンピース２とよりなり、かつ、これらケープ１及びワンピース２を組合せて着用することを特徴とする男女兼用ツーアンドワンコート衣服
【請求項２】
ワンピース２左右身頃６、７と後身頃８の肩の部をリバーシブルで表裏を反転にした時表布、裏布の両面につながれたボタンを設ける請求項１記載の男女兼用ツーアンドワンコート衣服
【手続補正２】
【補正対象書類名】明細書
【補正対象項目名】０００５
【補正方法】変更
【補正の内容】
【０００５】  上記目的を達成するため請求項１記載の考案は、表布及び裏布が異色もしくは異柄により縫製され、かつ、リバーシブル着用が可能なケープと、表布及び裏布が異色もしくは異柄により縫製され、かつ、リバーシブル着用が可能なワンピースとよりなり、かつ、これらケープ及びワンピースを組合せて着用することを特徴とするものである。
【手続補正３】
【補正対象書類名】明細書
【補正対象項目名】００１０
【補正方法】変更
【補正の内容】
【００１０】  この考案は、以上詳述したように、表布及び裏布が異色もしくは異柄により縫製され、かつ、リバーシブル着用が可能なケープと、表布及び裏布が異色もしくは異柄により縫製され、かつ、リバーシブル着用が可能なワンピースとよりなり、かつ、これらケープ及びワンピースを組合せて着用できるようにしたことから、その日の気分や好みに応じて多通りの組合せでお洒落ができると共に、多数の衣服を購入する必要がないため、衣服の大幅な削減が図れる。